(57)【要約】【課題】被介護者が入浴やシャワー浴をおこなう場合に、安全な移動、寒さの予防、他人の視線に晒されないようプライバシーの尊重、爽快感の維持、身体の保護、などがより十分に図られる入浴介護用クロークを提供する。【解決手段】フード付でクローク形をして防水加工の施された外側部分１０に対して、内側部分１２は略相似状を有し、重ねて使用でき、交換可能であり、着脱可能なフード付で、吸湿性がよい。外側部分１０には、移動のための取手１６が複数取り付けられる。被介護者２は、外側部分１０と内側部分１２を重ねて着用することで、顔の周りは開放され、後頭部から身体幹部から下半身の膝下までを覆われる。【選択図】図１
2014042762.tif 000002
【特許請求の範囲】
【請求項１】
被介護者が入浴又はシャワー浴を行う際に、ベッド上で衣服を脱いだあと着用するための入浴介護用クロークであって、フード付でクローク形をして防水加工の施された外側部分と、この外側部分に対して略相似状を有し、重ねて使用でき、交換可能であり、着脱可能なフード付で吸湿性のよい内側部分と、前記外側部分と前記内側部分を重ねて着用することで顔の周りは開放され後頭部から身体幹部から下半身の少なくとも膝下までを覆われた被介護者を移動させるために、介助者が使用するため前記外側部分に複数取り付けられた取手と、を有することを特徴とする入浴介護用クローク。
【請求項２】
前記取手は、外側部分の背部に、細長いつぶれたリング形状を有するリング状部材が、横方向に縫い付けて配置され、縦方向に複数が設けられ、前記リング状部材の両端が横方向左右に突出することで形成されていることを特徴とする請求項１に記載の入浴介護用クローク。 
【発明の詳細な説明】
【技術分野】
【０００１】
この発明は、寝たきり被介護者などの被介護者が入浴やシャワー浴をおこなう場合に、用いられる浴用介護用品に関する。
【背景技術】
【０００２】
寝たきり被介護者などの被介護者が入浴やシャワー浴をおこなう場合には、安全な移動、寒さの予防、他人の視線に晒されないようプライバシーの尊重、爽快感の維持、身体の保護、などが図られなければならない。
【０００３】
近年の高齢化社会において、寝たきり被介護者の入浴やシャワー浴を行う被介護者は、病院や施設などにおいて増加傾向にある。
【０００４】
寝たきり被介護者などの被介護者をベッドから浴室用ストレッチャーに移動する際に、入浴シート（下記特許文献１）やクローク形のタオル（下記特許文献２）を使用することが提案されている。
【０００５】
しかしながら、被介護者がベッド上で衣服を脱いだあとに浴室用ストレッチャーに移動する際に、入浴シート（下記特許文献１）を使用した場合には、複数の取手を用いることで複数の介護者により、ある程度安全に容易な移動を行うことができる。しかし、被介護者が空気に触れることからくる寒さが問題となる。すなわち、寒さから守るために、被介護者にバスタオル等をかけても、被介護者の身体の凹凸があるために、バスタオル等や入浴シートと身体との間に、隙間ができ、寒さを十分には防げない。
【０００６】
また、同じ入浴シートを複数の被介護者に連続して使用する場合に、直前に使用していた被介護者の身体からの水分が乾ききらず、不快感があり、そのために入浴やシャワー浴後の爽快感を損ねてしまい、被介護者が次回の入浴やシャワー浴に消極的になってしまうことがあった。
【０００７】
被介護者がベッド上で衣服を脱いだあとに浴室用ストレッチャーに移動する際に、ポンチョ形のタオル（下記特許文献２）を使用する場合には、前記入浴シート（下記特許文献１）に比べて、隙間はできにくく、寒さはやや防げる。また、他人の視線に晒されないようプライバシーの尊重もかなり期待できる。しかし、タオルは十分な強度がなく、また、取手もないので、安全な移動は期待できない。
【先行技術文献】
【特許文献】
【０００８】
【特許文献１】特開平９−７０４２１
【特許文献２】実登3115472
【発明の概要】
【発明が解決しようとする課題】
【０００９】
そこで、仮に、前記クローク形のタオル（下記特許文献２）を着用したうえで、前記入浴シート（下記特許文献１）を併用するとすれば、ある程度の安全な移動、ある程度の寒さの予防、他人の視線に晒されないある程度のプライバシーの尊重、ある程度の爽快感の維持、ある程度の身体の保護、が期待できる。
【００１０】
しかしながら、そのような併用においても、クローク形のタオルは入浴シートと連結されておらず、そのため、クローク形のタオルを着用した被介護者は、入浴シートの上で物理的に不安定であり、十分に安全な移動とは言いにくい。
【００１１】
また、間隙のないタオルによりある程度の寒さの予防は図れるものの、タオルの通気性により、空気が浸入し、防寒は完全ではない。
【００１２】
また、タオルは柔らかく身体の形が表れやすいので十分にプライバシーが尊重されない。
【００１３】
さらに、タオルは十分な厚さや強度がなく、被介護者の身体を十分に保護することができない。
【００１４】
この発明は、以上の問題点を解決するために、被介護者が入浴やシャワー浴をおこなう場合に、安全な移動、寒さの予防、他人の視線に晒されないようプライバシーの尊重、爽快感の維持、身体の保護、などがより十分に図られる入浴介護用クロークを提供することを目的とする。
【課題を解決するための手段】
【００１５】
以上の課題を解決するために、第一発明は、被介護者が入浴又はシャワー浴を行う際に、ベッド上で衣服を脱いだあと着用するための入浴介護用クロークであって、フード付でクローク形をして防水加工の施された外側部分と、この外側部分に対して略相似状を有し、重ねて使用でき、交換可能であり、着脱可能なフード付で吸湿性のよい内側部分と、前記外側部分と前記内側部分を重ねて着用することで顔の周りは開放され後頭部から身体幹部から下半身の膝下までを覆われた被介護者を移動させるために、介助者が使用するため前記外側部分に複数取り付けられた取手と、を有することを特徴とする入浴介護用クロークである。
第二発明は、さらに、前記取手は、外側部分の背部に、細長いつぶれたリング形状を有するリング状部材が、横方向に縫い付けて配置され、縦方向に複数が設けられ、前記リング状部材の両端が横方向左右に突出することで形成されていることを特徴とする入浴介護用クロークである。
【発明の効果】
【００１６】
第一、または第二発明によれば、被介護者が着用する入浴介護用クロークの外側部分と内側部分とは、略相似状を有し、重ねて使用されるので、クロークのように前を合わせれば、摩擦によって、互いに十分に連結し一体化される。よって、介護者により外側部分の取手が使用され移動が行われる場合にも、外側部分と内側部分とは連結し一体化した状態で、被介護者を包む。このため、この入浴介護用クロークを着用した被介護者は、十分に安全な移動が行える。
【００１７】
また、フード付でクローク形であり、被介護者の身体の凹凸があっても間隙ができにくいのみならず、外側部分と内側部分とは重ねて使用されるので、より空気が浸入しにくく、防寒はより完全となる。
【００１８】
また、外側部分と内側部分とは重ねて使用されるので、身体の形が表れにくく、より十分にプライバシーが尊重される。さらに、外側部分と内側部分とは重ねて使用されるので、被介護者の身体がより十分に保護される。
【００１９】
第二発明によれば、さらに、取手は、外側部分の背部に縫い付けられたリング状部材の両端が横方向左右に突出することで形成されているので、移動する際の力が、縫い付けの部分に加わりにくく、頑丈である。
【図面の簡単な説明】
【００２０】
【図１】この発明の一実施形態にかかる入浴介護用クロークを示す正面図である。
【図２】（Ａ）図１の入浴介護用クロークを構成する内側部分を示す正面図、（Ｂ）は（Ａ）の背面図である。
【図３】図１の入浴介護用クロークを構成する内側部分を示す正面図である。
【図４】（Ａ）（Ｂ）は、図１の入浴介護用クロークを、ベットの上で臥床したままの被介護者に介護者が着せる手順を示す図である。
【図５】図１の入浴介護用クロークを着た被介護者を、ベッドから浴室用ストレッチャーに移動する示す図である。
【発明を実施するための形態】
【００２１】
この発明の一実施形態を、図１から図５に示す。
【００２２】
［概略］
図１から図５に示すように、この発明は、被介護者２が入浴又はシャワー浴を行う際に、ベッド４上で衣服を脱いだあと着用するための入浴介護用クローク６である。この入浴介護用クローク６は、フード８付で、クローク形をして、防水加工の施された外側部分１０を有する。この外側部分１０に対して、内側部分１２は、略相似状を有し、重ねて使用でき、交換可能である。そして、内側部分１２は、着脱可能なフード付で吸湿性のよい材質からなる。被介護者２は、外側部分１０と内側部分１２を重ねて着用する。被介護者２は、顔の周りは開放され、後頭部から身体幹部から下半身の膝下までを覆われる。この被介護者２を移動させるために、介助者１４が使用する取手１６が、外側部分１０に複数取り付けられる。
【００２３】
この取手１６は、外側部分１０に設けられる。すなわち、外側部分１０の背部に、細長いつぶれたリング形状を有するリング状部材１８（図２）が、横方向に縫い付けて配置され、縦方向に複数４つが設けられ、リング状部材１８の両端が横方向左右に突出することで、左右合計８個の取手が形成されている。 
【００２４】
［各説］
この入浴介護用クローク６は、袖のない外套であるクローク形となっており、麻痺や拘縮などで四肢が変形している被介護者２でも、腕などを通す必要はなく包むように使用できるため、簡単に着用できる。
【００２５】
このため、被介護者２は従来よりも安心で快適なシャワー浴を行うことができ、介助者１４は取手１６があることで安全に把持することができ、介護の質や作業効率が上昇することができる。
【００２６】
この入浴介護用クローク６は、防水・撥水加工のされた外側部分１０と吸湿性のある着脱可能な内側部分１２を重ねて使用するものである。
【００２７】
外側部分１０の防水加工は、一日複数人の寝たきり被介護者２を、連続して浴室用ストレッチャー２０で入浴やシャワー浴の実施をすることが多い状況下で、乾いていない浴室用ストレッチャー２０から被介護者２を保護することや保温効果を機能とするものであり、内側部分１２の吸湿性は保温効果と入浴後の拭き取りきれなかった水分を取る機能がある。
【００２８】
この入浴介護用クローク６は、被介護者２の顔部分は開放されたフード８の形状を有する。そして、後頭部から身体全体すなわち頚部から体幹部、両上肢と少なくとも膝下までの両下肢を覆うクロークのような形で保温性があり、背面部分は持ち上げたときに被介護者２の体重がかかっても十分耐えられる強度を保ち、その両端には介助者１４が複数人集まり移動する際に使用することのできる取手１６が左右対称に複数個ついた安全性にも配慮した構造になっている。
【００２９】
この入浴介護用クローク６は、入浴又はシャワー浴を行う前にベッド４上でパジャマ等を脱衣した後、介助者１４によって寝たまま横向きになるなどの工夫で簡単に着用できる。
【００３０】
身体全体を覆い包むような構造となっており、釦等がなくてもめくれないようになっており、保温性があり被介護者２にとって羞恥心などのストレスから回避できる。
【００３１】
また、背面部と介助者１４が使用する取手１６の強度を十分に保つことで、移動時の安全性と着用した被介護者２の安心感が高まる。
【００３２】
入浴又はシャワー浴を行う前にベッド４上でパジャマ等を脱衣したあと被介護者２は、寝たまま、介助者１４によって入浴介護用クローク６の着用を介助され（図４）る。すなわち、被介護者２は横向きの姿勢にされ、背中の下に入浴介護用クローク６が敷かれ（図４（Ａ））、次に反対側に横向きにされて、入浴介護用クローク６が広げられて敷かれ、その後に、仰向きになり、入浴介護用クローク６の上にのる。その後に、入浴介護用クローク６の左右部分を介護者１４が引っ張って、被介護者を包むようにして、入浴介護用クローク６を着せる（図４（Ｂ））。
その後に、複数の介助者１４により取手１６を利用し両側から持ち上げられ、ベッド４から浴室用ストレッチャー２０へ安全に移動する。（図５）
浴室へ移動する際の廊下等も身体全体を覆う構造のため、保温や羞恥心に配慮され過ごすことができる。
【００３３】
浴室に到着したら身体の洗浄のため、被介護者２は寝たまま左右を向くなどの体位を取り、介助者１４の援助を受け、着用していたこの発明の入浴介護用クローク６を簡単に脱衣することができる。
【００３４】
大体の場合に、移動に使用した浴室用ストレッチャー２０を浴室にいれ、そのまま身体を洗浄するが、洗浄が終了し身体に残った水分をタオルなどで拭き取った後、着用したときと同様に被介護者２は寝たまま横を向く等の工夫でこの発明の入浴介護用クローク６を簡単に着用することができる。（図４）
内側部分１２のクロークが取りきれなかった水分を吸湿し、身体を包むように着用することで保温効果も高まる。
【００３５】
また、水気のある浴室用ストレッチャー２０はほんのわずかな時間でも経過すると、乾いていない被介護者２が臥床している部分が冷えてしまい、身体の接する部分に不快感を与えるが、この発明の入浴介護用クローク６を着用することで外側部分１０の防水加工のクロークが水気のある浴室用ストレッチャー２０と被介護者２の身体を分け隔てるため、入浴又はシャワー浴後の爽快感や保温効果を持続することができる。
【００３６】
さらに、連続して数人の寝たきり被介護者２の入浴又はシャワー浴を行う際に、内側の吸湿性のあるクローク部分を取り外して新しいものに換えることで、次に使用する被介護者２が快適なまま同様な援助が受けられるため、病院や施設などで大変便利であり高い利用度が期待される。
【００３７】
この入浴介護用クローク６は、寝たきり被介護者２が、介助を受け寝たまま浴室用ストレッチャー２０で移動し浴室へ向かう場合、寒さや羞恥心を軽減させ、かつ安全に移動でき、頭部がフード８のようになっており、被介護者２の顔部分は開放され後頭部から体全体少なくとも膝下くらいまでを包むクロークのような構造の物に介護者が移動の際に使用する取手１６がついたものである。この入浴介護用クローク６は、左右の前身ごろを浴衣やバスローブのように合わせて簡易に使用することを特徴としており、防水加工のされた外側部分１０と、吸湿性のある取り外し可能な内側部分１２からなる。外側部分１０は被介護者２の体重をかけても、生地が裂けることのないような強度を保ち、その両端には浴室用のストレッチャー等に移動する場合に、介助者１４が被介護者２を安全に移動するための取手１６が複数ついている。また、すでに服を脱いだ後でも、この入浴介護用クローク６があれば寒さや羞恥心を軽減し移動することができる。また、入浴後の着用は、ふき取ることができなかった水分を内側のクローク部分が吸湿することも可能であり、その内側部分１２を交換することで他の人との共有も可能である。
【００３８】
「実施形態の効果」
＜より安全な移動＞
この実施形態によれば、被介護者２が着用する入浴介護用クローク６の外側部分１０と内側部分１２とは、略相似状を有し、重ねて使用される。よって、クロークのように前を合わせれば、摩擦によって、互いに十分に連結し一体化される。このため、介護者により外側部分１０の取手１６が使用され移動が行われる場合にも、外側部分１０と内側部分１２とは連結し一体化した状態で、被介護者２を包む。そのためこの入浴介護用クローク６を着用した被介護者２は、十分に安全な移動が行える。
【００３９】
＜より完全な防寒＞
また、フード付でクローク形であり、被介護者２の身体の凹凸があっても間隙ができにくい。のみならず、外側部分１０と内側部分１２とは重ねて使用されるので、より空気が浸入しにくく、防寒はより完全となる。
【００４０】
＜より十分な身体の保護＞
また、外側部分１０と内側部分１２とは重ねて使用されるので、被介護者２の身体の形が表れにくく、より十分にプライバシーが尊重される。さらに、外側部分１０と内側部分１２とは重ねて使用されるので、外部からの刺激や物理的な影響より、被介護者２の身体がより十分に保護される。
【００４１】
＜取手１６の頑丈さ＞
さらに、取手１６は、外側部分１０の背部に縫い付けられたリング状部材１８の両端が横方向左右に突出することで形成されているので、移動する際の引っ張り力の伝達が、リング状部材１８の中で完結しやすく、縫い付けの部分に加わりにくく、頑丈である。
【００４２】
＜実際の介護の現場における入浴介護用クローク６の優位性＞
これまで病院や施設で、寝たきり被介護者２を臥床したまま入浴やシャワー浴をおこなう場合、ベッド４から浴室用ストレッチャー２０に移動するときは、主にバスタオルやシーツなどを使用していた。しかし、家庭によってバスタオルの大きさや厚みが異り、持参しているタオル自体が破れている事もあり、介護者がシーツなどで代用せざるを得ない状況も多い。また、廊下を移動する際にも、バスタオルを体にかけて移動することが多く、保温性や羞恥心を守る等の面では工夫が必要であった。
【００４３】
介護のため場所をとった在宅や施設等では入浴用シートや入浴用リフトは有効な場合もあるが、それ以外の場合では短期間で解決するには、前述のような困難な問題を抱えている。
【００４４】
実際に病院等の現場では、生命を守るための高度な医療機器等を優先し購入しているため、清潔ケアなどの物品は様々な理由で最低限の準備となっており、特に寝たきり被介護者２をシャワー等に介助する場合は自動式の装置ではなく介助者１４の労力を使用し浴室用ストレッチャー２０を用いて臥床したままシャワー浴をする場合が多い。
【００４５】
寝たきり被介護者２を移動する際には、大体の場合にバスタオルを被介護者２の身体の下に敷き複数人でタオルの両端を持ち、安全に配慮しながらベッド４からストレッチャーに移動を行っている場合がある。
【００４６】
また人手不足等の問題から、浴室では介助者１４が一人となることもあり、被介護者２はベッド４上でほぼパジャマを脱いでから浴室用ストレッチャー２０に移動しバスタオル等を身体にかけ他の人に裸を見られないようにして浴室まで移動することも多い。
【００４７】
さらに、家庭によって持ち込んだバスタオルの大きさや厚みも違い、一部の生地が破れていてもタオルとして使用している家庭や、バスタオルの持参がなく介助者１４がシーツで代用せざるを得ない状況もある。
【００４８】
バスタオルの大きさが各家庭で異なっても、この発明の入浴介護用クローク６で体をくるみ、複数人で持ち上げ移動することで、寝たきり被介護者２の移動が今までより安全に実施できる。また、浴室用ストレッチャー２０で浴室への移動の際に被介護者２自身も、すきま風等で寒い思いをすることが少なくバスタオルのみより効果的である。さらに、クロークのように身体を包むことで被介護者２のプライバシーが守られ羞恥心が軽減される。浴室に着いたら、この発明の入浴介護用クローク６を脱ぎシャワーを行い、終了後に体の水分を取って再びクロークを着て部屋に戻ることで、再び保温と安全な移動が可能となる。この入浴介護用クローク６を使用することで、介助者１４と寝たきり被介護者２の相互に安全で快適な入浴環境を整えることができるという利点がある。
【００４９】
「他の実施形態」
以上の実施形態では、取手１６は、外側部分１０の背部に縫い付けられたリング状部材１８の両端が横方向左右に突出することで形成されているものであったが、他の実施形態では、リング状部材１８ではなく、U字状部材を外側部分１０の左右に縫い付け、取手１６とするものでもよい。
【符号の説明】
【００５０】
２…被介護者、４…ベッド、６…入浴介護用クローク、８…フード、１０…外側部分、１２…内側部分、１４…介助者、１６…取手、１８…リング状部材、２０…浴室用ストレッチャー。
【図１】
2014042762.tif 000003
【図２】
2014042762.tif 000004
【図３】
2014042762.tif 000005
【図４】
2014042762.tif 000006
【図５】
2014042762.tif 000007